(57)【特許請求の範囲】
【請求項１】
記録媒体からデータを読み出すヘッド手段と、
前記ヘッド手段によって読み出されたデータに対して所定の復調及び誤り訂正処理を行なうデコード手段と、
上記デコード手段における誤り訂正処理時に用いられる第１のメモリ手段と、
上記デコード手段にて所定の復調及び誤り訂正処理を一時的に蓄積する上記第１のメモリ手段よりメモリ空間が大きい第２のメモリ手段と、
上記記録媒体から読み出されたデータから同期したクロックを抽出するクロック抽出手段と、
安定化クロックからマスタークロックを生成する安定化クロック生成手段とを備え、
上記デコード手段にて所定の復調が施されたデータに対して誤り訂正処理をするために上記所定の復調が施されたデータの上記第１のメモリ手段への書込と、上記所定の復調及び誤り訂正処理が施されたデータの上記第１のメモリ手段からの読出と、上記第１のメモリ手段からの読出された上記所定の復調及び誤り訂正処理が施されたデータの上記第２のメモリ手段への書込は上記クロック抽出手段にて抽出されたクロックに基づいて行われ、
上記第２のメモリ手段に一時的に蓄積された上記所定の復調及び誤り訂正処理が施されたデータの読み出しは上記安定化クロック生成手段にて生成された安定化クロックに基づいて行われること
を特徴とする再生装置。
【請求項２】
データ入力手段と、
上記データ入力手段に入力されたデータを一旦蓄積する耐振用バッファメモリ手段と、
上記耐振用バッファメモリ手段から読み出されたデータに対して所定の変調を施すとともにエラー訂正用のパリテーの付加を行う信号処理手段と、
上記エラー訂正用のパリテーの付加のために用いられる上記耐振用バッファメモリ手段よりメモリ空間が小さいエラー訂正用メモリ手段と、
上記信号処理手段で所定の変調を施されるとともにエラー訂正用のパリテーの付加されたデータを記録媒体に書き込むヘッド手段と、
安定化クロックからマスタークロックを生成する安定化クロック生成手段と、
記録動作に同期したＰＬＬ系クロックを生成するクロック生成手段とを備え、
上記データ入力手段に入力されたデータの上記耐振用バッファメモリ手段への書き込みは上記安定化クロック生成手段に基づいて行われ、
上記耐振用バッファメモリ手段からのデータの読出し、上記エラー訂正用メモリ手段へのデータの書込み、上記エラー訂正用メモリ手段からの所定の変調を施されるとともにエラー訂正用のパリテーの付加されたデータの読出制御を上記クロック生成手段にて生成されたＰＬＬ系クロックに基づいて行うこと
を特徴とする記録装置。
【発明の詳細な説明】
【０００１】
【産業上の利用分野】
本発明は、例えばディスクやテープなどの記録媒体に対して楽曲等のデータを記録／再生することのできる記録装置、再生装置に関するものである。
【０００２】
【従来の技術】
ユーザーが音楽データ等を記録することのできるデータ書き換え可能な光磁気ディスクが知られており、このようなディスクメディアでは、特にバッファＲＡＭを用いて耐震機能を向上させたものが実現されている。
【０００３】
例えば光磁気ディスクにより記録再生可能ないわゆるミニディスクシステムでは、再生時には、光磁気ディスクから読み出された音声データを高速レートでバッファＲＡＭに間欠的に書き込んでいき、一方バッファＲＡＭから低速レートで継続的に読出を行なって音声再生信号として復調処理していく。このとき、バッファＲＡＭには常時ある程度のデータ蓄積がなされており、従って外部からの振動等でトラックジャンプが発生し、一時的に光磁気ディスクからのデータ読出が中断されてしまっても、バッファＲＡＭからは継続して音声データを読み出すことができ、再生音声はとぎれることなく出力される。
また、記録時には、入力されたデータを一旦低速レートで継続的にバッファＲＡＭに書き込み、これを高速レートで間欠的に読み出して記録ヘッドに供給してディスクへの記録を行なうようにしている。
【０００４】
ところで、ミニディスクシステムで記録媒体となる光磁気ディスクにおける記録トラックは、図８のように４セクターの（１セクタ＝２３５２バイト）サブデータ領域と３２セクターのメインデータ領域からなるクラスタＣＬ（＝３６セクタ−）が連続して形成されており、１クラスタが記録時の最小単位とされる。１クラスタは２〜３周回トラック分に相当する。なお、アドレスは１セクター毎に記録される。
４セクターのサブデータ領域はサブデータやリンキングエリアとしてなどに用いられ、ＴＯＣデータ、オーディオデータ等の記録は３２セクターのメインデータ領域に行なわれる。
【０００５】
また、セクターはさらにサウンドグループに細分化され、２セクターが１１サウンドグループに分けられている。そして、４２４バイトのサウンドグループ内にはデータがＬチャンネルとＲチャンネルに分けられて記録されることになる。１サウンドグループは11.6msecの時間に相当する音声データ量となる。また、Ｌチャンネル又はＲチャンネルのデータ領域となる２１２バイトをサウンドフレームとよんでいる。
【０００６】
ディスク上でこのようなフォーマットで記録されているデータに対して、バッファＲＡＭを介して記録／再生を行なう場合、バッファＲＡＭではセクター単位で記憶を行なうことになる。バッファＲＡＭに対するアクセスアドレスは、セクターアドレスと、セクター内のバイトアドレス（０〜２３５１バイト）が合成されて生成され、書込及び読出が実行される。
【０００７】
ところで、このようなミニディスクシステムでは、記録／再生信号の処理回路系において互いに非同期である２種類のクロックが用いられている。
再生装置の処理系においては、ディスクから読み出したデータについてはＥＦＭデコードを行ない、さらにＥＣＣ処理（エラー訂正処理）、セクターデコード等を行なった後、バッファＲＡＭに記憶させる。そしてバッファＲＡＭから読み出したデータについて音声圧縮処理に対するデコードを行ない、再生音声データを得る。ここでＥＦＭデコードを行なうＥＦＭ信号、即ちディスクから読み出した信号についてはディスクのジッター成分を含むものであるため、ＥＦＭデコード処理についてはディスク回転に同期したクロックが用いられる。即ちＥＦＭ信号からＰＬＬ回路を用いて抽出されたクロック（ＰＬＬデータクロック）が用いられる。
一方、ＥＣＣ処理以降は、水晶系のマスタークロックが用いられる。
【０００８】
また記録装置の処理系においては、入力信号に対して音声圧縮エンコードを行なった後バッファＲＡＭに記憶し、バッファＲＡＭから読み出したデータに対してセクターエンコード、ＥＣＣエンコード、ＥＦＭ変調を行なって磁気ヘッドに供給する。これらの処理は水晶系のマスタークロックが用いられる。
一方、このような記録時にはディスク上のグルーブから抽出される情報をＰＬＬ回路に注入して生成されるクロック（ＰＬＬグルーブクロック）を用いてディスクの回転サーボを行なっている。
【０００９】
このように２つのクロック系を有する従来の再生装置の信号処理ブロック（デコーダ系）、及び記録装置の信号処理ブロック（エンコーダ系）を図９、図１０に示す。
【００１０】
再生装置においてはディスク１０１に記録されている音声信号のデコーダ系としては図９のような構成が取られている。
ディスク１０１はスピンドルモータ１０２によって一定線速度で回転されながら、光学ヘッド１０３からのレーザ照射がなされる。
光学ヘッド１０３はディスク１０１からの反射光検出信号をＲＦアンプ１０４に出力し、ＲＦアンプ１０４は反射光検出信号から再生ＲＦ信号を抽出する。そしてこの再生ＲＦ信号が２値化されたものがいわゆるＥＦＭ信号（記録時に８−１４変調された信号）であり、ディスク１０１からの再生データである。
このＥＦＭ信号はＥＦＭデコーダ１０５、ＰＬＬタイミングジェネレータ１０６、ＥＦＭシンク検出部１０７のそれぞれに供給される。
【００１１】
ＥＦＭシンク検出部１０７ではＥＦＭ信号フレーム内のシンクパターンを検出する。またＰＬＬタイミングジェネレータ１０６はＥＦＭ信号のエッジ検出を行ない、そのエッジ検出出力をＰＬＬ回路に注入してＰＬＬデータクロックPLCKを発生させる。このＰＬＬデータクロックPLCKは、即ちディスク１０１の回転と同期したものとなり、ディスク１０１の回転ジッタ成分を含むクロックである。
さらに、ＰＬＬデータクロックPLCK及びＥＦＭシンクに基づいて各種タイミング信号を発生させる。
【００１２】
ＥＦＭデコーダ１０５はＰＬＬデータクロックPLCKを用いてＥＦＭ復調処理を行ない、データバス１１０に転送する。また、サブコード検出部１０８によってＥＦＭ復調されたデータからサブコード情報が抽出され、端子１０９から装置全体を制御しているシステムコントローラに供給する。
【００１３】
ＥＦＭ復調されデータバス１１０に転送されたデータはＥＣＣ−ＲＡＭ１１１に書き込まれることになるが、この書込のためＰＬＬタイミングジェネレータ１０６からのＥＦＭ信号に同期したライトフレームクロックWFCKによりプライオリティエンコーダ１１２に書込要求が行なわれる。またライトフレームクロックWFCKはライトベースカウンタ１１３にも供給されカウントされる。
一方、水晶系のマスタークロックMCK が供給されているタイミングジェネレータ１１９からは、ＥＣＣ−ＲＡＭ１１１からの読出のため、リードフレームクロックRFCKによりプライオリティエンコーダ１１２に読出要求が行なわれ、またＥＣＣデコーダ１１７に対するエラー訂正要求が行なわれる。リードフレームクロックRFCKはリードベースカウンタ１１５にも供給されカウントされる。
【００１４】
書込要求、読出要求のうち、プライオリティエンコーダ１１２によって選ばれた要求がデータバス１１０を通じてＥＣＣ−ＲＡＭ１１１にリード／ライト要求される。
また、ＥＣＣ−ＲＡＭ１１１の書込／読出のためのアドレスはアドレスジェネレータ１１６によって発生されるが、アドレスジェネレータ１１６はＰＬＬクロック系のカウンタであるライトベースカウンタ１１３のカウント値、及びマスタークロック系のカウンタであるリードベースカウンタ１１５のカウント値に応じて書込／読出アドレスを生成する。
【００１５】
ＥＦＭ復調されデータバス１１０に転送されたデータは、プライオリティエンコーダ１１２により書込要求が選択され、またアドレスジェネレータ１１６によってライトベースカウンタ１１３のカウント値に応じて書込アドレスが発生されることで、ＥＣＣ−ＲＡＭ１１１に書き込まれる。つまりＰＬＬクロック系の動作として書込が行なわれる。
【００１６】
またＥＣＣ−ＲＡＭ１１１に書き込まれたデータに関してはＥＣＣ処理部１１７によるエラー訂正が行なわれるが、このため、プライオリティエンコーダ１１２を介してＥＣＣ−ＲＡＭ１１１に読出要求が行なわれ、またアドレスジェネレータ１１６によってリードベースカウンタ１１５のカウント値に応じて読出アドレスが発生されて、データが読み出される。
【００１７】
ここで、ＥＣＣ−ＲＡＭ１１１の書込処理／読出処理を境として、使用されるクロックが異なるものとなるため、両処理系には時間軸上のジッタが存在することになる。そして２つのクロックにそれぞれ同期して書込アクセス、読出アクセスが実行されるため、アクセスアービタやジッターの低域成分を補償するためのディスク１０１の回転制御が必要になる。このためライトベースカウンタ１１３とリードベースカウンタ１１５の出力がＣＬＶプロセッサ１１４に供給され、ＣＬＶプロセッサ１１４はライトベースカウンタ１１３とリードベースカウンタ１１５の差に基づいた回転サーボ制御値を生成し、スピンドルモータ１０２に対するサーボ系に出力する。
【００１８】
ＥＣＣ処理部１１７でエラー訂正されたデータＤｔはタイミングジェネレータ１１９のタイミング制御により、データリードインターフェース部１１８からセクターデコーダ１２０に送られる。また、エラー訂正が不能であった場合の識別情報C2POも転送される。
さらにセクターデコーダ１２０に対してはタイミングジェネレータ１１９からデータＤｔに同期したビットクロックBCK 、ＬＲクロックLRCKが供給される。
【００１９】
セクターデコーダ１２０ではいわゆるＣＤ−ＲＯＭフォーマットのデコードを行ない、データバス１２２に転送する。
バッファＲＡＭ１２３への書込／読出動作は、プライオリティエンコーダ１２１による要求選択と、アドレスジェネレータ１２４によるアドレス生成に基づいて行なわれる。プライオリティエンコーダ１２１に対してはセクターデコーダ１２０からの書込要求、音声圧縮デコーダ１２６からの読出要求、またコントローラインターフェース１２５を介したシステムコントローラからの書込／読出要求が行なわれる。上述したようにバッファＲＡＭ１２３への書込処理までのデータ転送レートは、バッファＲＡＭ１２３からの読出以降のデータ転送レートより高速となっているため、通常はプライオリティエンコーダ１２１は、セクターデコーダ１２０からの書込要求、音声圧縮デコーダ１２６からの読出要求に対して、転送レート差を調整するように要求選択を行なう。
【００２０】
セクターデコーダ１２０からデータバス１２２に転送されたデータはバッファＲＡＭ１２３に書き込まれた後、音声圧縮デコーダ１２６からの読出要求に応じて読み出され、データバス１２２を介して音声圧縮デコーダ１２６に供給される。そしていわゆる逆変形ＤＣＴ処理となる音声圧縮処理が施されて、１６ビット量子化、44.1KHzサンプリングの形態のデジタルデータとされる。このデジタルデータはＤ／Ａ変換器１２７によってアナログ信号とされ、端子１２８より再生音声信号として出力されることになる。
【００２１】
次に記録装置において構成される音声信号のエンコーダ系を図１０に示す。
端子１３０に入力された音声信号はマスタークロックMCK 系となるＡ／Ｄ変換器１３１で１６ビット量子化、44.1KHzサンプリングのデジタルデータとされる。そして音声圧縮エンコーダ１３２に供給されて変形ＤＣＴ処理により、データ量が約１／５に圧縮される処理が施される。
【００２２】
音声圧縮処理されたデータは、音声圧縮エンコーダ１３２からの書込要求に応じてデータバス１２２を介してバッファＲＡＭ１２３に書き込まれていく。バッファＲＡＭ１２３に対する書込／読出アドレスはタイミングジェネレータ１１９の制御又はコントローラインターフェース１２５を介したシステムコントローラからの制御に基づいてアドレスジェネレータ１２４で生成される。タイミングジェネレータ１１９はマスタークロックMCK を用いて各種タイミング生成動作を行なう。
【００２３】
記録動作時には、バッファＲＡＭ１２３に蓄積されたデータ量が１クラスタを越える一定量に達すると、バッファＲＡＭ１２３からの読出及びセクターエンコーダ１３３への転送が行なわれる。
セクターエンコーダ１３３ではタイミングジェネレータ１１９からのビットクロックBCK 、ＬＲクロックLRCKを用いて、セクター形態のエンコード処理を行ない、データライトインターフェース１３４に転送する。データライトインターフェース１３４に転送されたデータはデータバス１１０を介してＥＣＣ−ＲＡＭ１１１に書き込まれていく。
【００２４】
ＥＣＣ−ＲＡＭ１１１に対する書込／読出アドレスはタイミングジェネレータ１１９の制御に基づいてアドレスジェネレータ１１６で生成される。
ＥＣＣエンコーダ１３５はＥＣＣ−ＲＡＭ１１１に記憶されたデータを読み出してパリティ付加などの処理を行なう。
ＥＣＣエンコーダ１３５での処理を終えたデータは、ＥＦＭエンコーダ１３６に転送されてＥＦＭ変調（８−１４変調）が行なわれる。このＥＦＭ信号は磁気ヘッド駆動回路１３７に送られ、磁気ヘッド１３８はＥＦＭ信号に基づいてディスク１０１に対する磁界印加動作を行なうことになる。
記録時におけるここまでの各処理は水晶系のマスタークロックMCK に基づいた動作となる。
【００２５】
これに対して、記録時のディスク１０１の回転制御系はＰＬＬ回路を用いて生成されたディスク回転に同期したクロックにより処理が行なわれる。
スピンドルモータ１０２によって回転されるディスク１０１に対しては光学ヘッド１０３によってレーザ照射され、その反射光情報がＲＦアンプ１０４に供給される。
【００２６】
ここで、記録可能な光磁気ディスクにはいわゆるグルーブ（溝）により記録トラックが形成されており、しかもこのグルーブは絶対位置情報（アドレス情報）を22.0±１Ｋ［Ｈｚ］のキャリアを用いたＦＭ変調処理でウォブリング（蛇行）されている。
ＲＦアンプ１０４ではこのようにＦＭ変調されているグルーブ情報ＧＦＭが抽出される。このグルーブ情報ＧＦＭはグルーブＰＬＬ回路に供給され、グルーブ情報ＧＦＭに同期したＰＬＬグルーブクロックGCK が生成される。
【００２７】
また、グルーブ情報ＧＦＭはグルーブシンク検出部１４０に供給され、ＰＬＬグルーブクロックGCK を用いたシンク検出が行なわれるとともに、グルーブアドレスデコーダ１４２においてＰＬＬグルーブクロックGCK を用いたアドレスデコード処理が行なわれ、グルーブアドレス情報が復調される。グルーブシンク及びグルーブアドレスは、ステムコントローラに供給される。
またグルーブ情報、ＧＦＭとＰＬＬグルーブクロックGCK はＣＬＶプロセッサ１１４に供給される。ＣＬＶプロセッサ１１４は、タイミングジェネレータ１１９の発生するクロックとＰＬＬグルーブクロックGCK との間の周波数／位相誤差成分を、スピンドルモータのサーボ制御値としてＣＬＶサーボ系に出力する。
【００２８】
以上のようにミニディスクシステムでは、デコーダ系においてはＰＬＬデータクロックとマスタークロックが、またエンコーダ系においてはＰＬＬグルーブクロックとマスタークロックが用いられ、つまり互いに非同期である２種類のクロックが用いられていることになる。
【００２９】
【発明が解決しようとする課題】
ところが、このように互いに非同期の２種類のクロックを用いることで、次のような問題が発生していた。
【００３０】
まず図９のデコーダ系について見ると、ＥＣＣ−ＲＡＭ１１１への書込系と読出系が異なるクロックに基づく動作となる。
そしてＥＣＣ−ＲＡＭ１１１への書込動作についてはディスク１０１の回転むらなどに起因するジッター成分を含むＰＬＬデータクロックPLCKを用い、一方、読出動作は水晶系のマスタークロックMCK を用いているため、ＥＣＣ−ＲＡＭ１１１にはジッタを補償するためのジッターマージンエリアが必要になる。
【００３１】
ところが、ＥＣＣ−ＲＡＭ１１１内のメモリ空間はいうまでもなく有限な空間であり、たとえＣＬＶサーボ系がロックしていても、ＥＣＣ−ＲＡＭ１１１がオーバフローしてしまえばデコード動作は破錠してしまう。例えばＣＬＶサーボに定常偏差が存在していると、徐々にジッターマージンエリアを使いきっていき、オーバーフローが発生する。このためデコード動作の安定性に問題が生ずる。
またオーバーフローを防止するには、ＣＬＶサーボの低域ゲインを十分に確保することが求められることになり、その結果余分な消費電力を必要とし、省電力の観点で問題があり、電池駆動の機器の場合は電池寿命の短命化につながっていた。
【００３２】
さらに、ＥＣＣ−ＲＡＭ１１１への書込／読出のために個別のベースカウンタ（ライトベースカウンタ１１３とリードベースカウンタ１１５）が必要になり、また動作の調整のためにプライオリティエンコーダ１１２が必要となる。さらに両クロック間のジッター調整をＣＬＶサーボ系に反映させるためにＣＬＶプロセッサ１１４が必要になる。
これらのことから回路系が複雑になり、回路規模やコストの面で不利となっていた。
【００３３】
次に図１０のエンコーダ系について見ると、データエンコード系ではマスタークロックMCK が用いられ、またＣＬＶサーボ系についてはＰＬＬグルーブクロックが用いられることになる。
【００３４】
このため、ディスク１０１上のグルーブ情報GFM と、記録するデータ（ＥＦＭ信号）を或るトレランス／ジッターの中で同期させるために、システムコントローラは、バッファＲＡＭ１２３からデータを読み出してセクターエンコーダ１３３経由でＥＣＣ処理系に転送開始するタイミングを、ＥＦＭエンコーダ１３６から磁気ヘッド駆動回路１３７までのいわゆるエンコードディレイを考慮しながら、グルーブシンクの検出タイミングを基準として決定するという処理が必要になる。また、記録中もＰＬＬグルーブクロックGCK の偏差や、グルーブアドレスと、データ中にエンコードされたセクターアドレスの位相差をモニタし、それらが一定の範囲を逸脱した場合は、一旦記録動作を中断し、ディスク１０１の所定の先頭アドレスをアクセスした後、記録動作のリトライを行なうなどの処理が必要であった。
【００３５】
これらのことから、グルーブＰＬＬ回路１３９がロックしている際も記録動作が補償されていないシステムとなってしまうとともに、ＣＬＶサーボの帯域及びゲインを十分にとることが求められ、デコーダと同様に動作の安定性が十分でないとともに、消費電力上の問題が生じていた。
【００３６】
さらに、このエンコーダ系でも両クロック間のジッター調整をＣＬＶサーボ系に反映させるためにＣＬＶプロセッサ１１４が必要になっており、回路規模やコストの面で不利なものとなっていた。
【００３７】
【課題を解決するための手段】
本発明はこのような問題点にかんがみてなされたもので、ジッターフリーによる動作安定性の向上や消費電力の削減を実現することを目的とする。
【００３８】
このため再生装置として、記録媒体からデータを読み出すヘッド手段と、前記ヘッド手段によって読み出されたデータに対して所定の復調及び誤り訂正処理を行なうデコード手段と、上記デコード手段における誤り訂正処理時に用いられる第１のメモリ手段と、上記デコード手段にて所定の復調及び誤り訂正処理を一時的に蓄積する上記第１のメモリ手段よりメモリ空間が大きい第２のメモリ手段と、上記記録媒体から読み出されたデータから同期したクロックを抽出するクロック抽出手段と、安定化クロックからマスタークロックを生成する安定化クロック生成手段とを備え、上記デコード手段にて所定の復調が施されたデータに対して誤り訂正処理をするために上記所定の復調が施されたデータの上記第１のメモリ手段への書込と、上記所定の復調及び誤り訂正処理が施されたデータの上記第１のメモリ手段からの読出と、上記第１のメモリ手段からの読出された上記所定の復調及び誤り訂正処理が施されたデータの上記第２のメモリ手段への書込は上記クロック抽出手段にて抽出されたクロックに基づいて行われ、上記第２のメモリ手段に一時的に蓄積された上記所定の復調及び誤り訂正処理が施されたデータの読み出しは上記安定化クロック生成手段にて生成された安定化クロックに基づいて行われるようにする。
【００３９】
記録装置としては、データ入力手段と、上記データ入力手段に入力されたデータを一旦蓄積する耐振用バッファメモリ手段と、上記耐振用バッファメモリ手段から読み出されたデータに対して所定の変調を施すとともにエラー訂正用のパリテーの付加を行う信号処理手段と、上記エラー訂正用のパリテーの付加のために用いられる上記耐振用バッファメモリ手段よりメモリ空間が小さいエラー訂正用メモリ手段と、上記信号処理手段で所定の変調を施されるとともにエラー訂正用のパリテーの付加されたデータを記録媒体に書き込むヘッド手段と、安定化クロックからマスタークロックを生成する安定化クロック生成手段と、記録動作に同期したＰＬＬ系クロックを生成するクロック生成手段とを備え、上記データ入力手段に入力されたデータの上記耐振用バッファメモリ手段への書き込みは上記安定化クロック生成手段に基づいて行われ、上記耐振用バッファメモリ手段からのデータの読出し、上記エラー訂正用メモリ手段へのデータの書込み、上記エラー訂正用メモリ手段からの所定の変調を施されるとともにエラー訂正用のパリテーの付加されたデータの読出制御を上記クロック生成手段にて生成されたＰＬＬ系クロックに基づいて行うようにする。
【００４０】
【作用】
以上のような本発明における再生装置では、記録媒体からのデータの第２のメモリ手段であるバッファＲＡＭへの書込までの系でＰＬＬ系のクロックが用いられ、バッファＲＡＭから読み出し出力する系で水晶系のクロックが用いられる。このためデコード処理と書込制御処理内ではＰＬＬロックが保たれているかぎりジッタフリーとなり、デコード処理のための第１のメモリにもジッタマージンエリアは不要になる。そして、異なるクロック系の間のジッターの影響については比較的広大なメモリ空間を有する第２のメモリ手段であるバッファＲＡＭでカバーできることになる。
【００４１】
また本発明の記録装置では、入力から耐振用バッファメモリであるバッファＲＡＭへの書込までの系で水晶系のクロックが用いられ、バッファＲＡＭの読み出しから記録媒体への書込までの系でＰＬＬ系のクロックが用いられる。このため、読出制御処理、エンコード処理内ではＰＬＬロックが保たれているかぎりジッタフリーとなる。そして、異なるクロック系の間のジッターの影響については比較的広大なメモリ空間を有するバッファＲＡＭでカバーできる。
【００４２】
【実施例】
以下、本発明の実施例を説明する。この実施例は光磁気ディスク（ミニディスク）を記録媒体として用いた記録再生装置及びその記録再生装置において設けられるデコーダ回路／エンコーダ回路とする。
説明は次の順序で行なう。
１．本発明をミニディスクシステムに適用した実施例の構成概念
２．記録再生装置の全体構成
３．デコーダ系の構成
４．デコーダ系の構成の変形例
５．エンコーダ系の構成
６．エンコーダ系の構成の変形例
【００４３】
１．本発明をミニディスクシステムに適用した実施例の構成概念
本実施例のミニディスクシステムのデータの転送系は概念的には図１のように構成されている。
再生時に光学ヘッドによってディスクから読み出されるＥＦＭ信号は図１の端子１ａからエンコーダ／デコーダ部２に供給される。エンコーダ／デコーダ部２ではＥＦＭ復調されたデータはＥＣＣ−ＲＡＭ３に記憶された後、エラー訂正等の処理が施され、さらにセクターデコード等が行なわれる。
【００４４】
エンコーダ／デコーダ部２でデコード処理されたデータはメモリコントローラ４におけるドライブ側インターフェース４ａの処理によってバッファＲＡＭ５に書き込まれ、また音声圧縮側インターフェース４ｂの処理によって読み出される。バッファＲＡＭ５から読み出されたデータは音声圧縮処理に関するエンコーダ／デコーダ部６に供給され、逆変形ＤＣＴ変換が行なわれて、通常の１６ビット量子化、44.1KHzサンプリング形態のデジタル音声データとされて端子９に供給される。
【００４５】
また記録時において端子９に供給されたデジタル音声データはエンコーダ／デコーダ部６で変形ＤＣＴ処理が施され、約１／５のデータ量に圧縮される。そして音声圧縮側インターフェース４ｂの処理によってバッファＲＡＭ５に書き込まれ、またドライブ側インターフェース４ａの処理によって読み出される。バッファＲＡＭ５から読み出されたデータはエンコーダ／デコーダ部２でセクターエンコード、ＥＣＣパリティエンコード、ＥＦＭ変調され、端子１ｂから磁気ヘッド
に供給される。
なお、記録時には光学ヘッドから読み取られるグルーブ情報が端子１ａからＰＬＬ系クロック発生部７に供給される。
【００４６】
ここで本実施例では、ディスクからドライブ側インターフェース４ａまでの処理系はＰＬＬ系クロック発生部７で生成されたクロックが用いられ、また音声圧縮インターフェース４ｂからデータ入出力のための端子９までの処理系はマスタークロック発生部８で生成されたクロックが用いられるものとなる。
つまり、ショックプルーフ機能のための比較的大容量であるバッファＲＡＭ５を有するシステムにおいて、バッファＲＡＭ５の前後において使用クロックの境界が形成されている。
【００４７】
図２は他の構成概念を示しており、これは図１におけるバッファＲＡＭ５とＥＣＣ−ＲＡＭ３を１つのＲＡＭ１０で一体化したものである。つまりＲＡＭ１０内にＥＣＣエリア１０ａとバッファエリア１０ｂを用意する。このように構成した場合は、データ処理系の小型化、１チップ化なども容易となる。
以上の図１、図２のような構成概念を有する実施例の具体的構成を以下説明していく。
【００４８】
２．記録再生装置の構成
まず図３は実施例の記録再生装置としての全体のブロック図を示している。
図１において、光磁気ディスク１１には例えば音声データが記録されており、記録／再生動作時にはスピンドルモータ１２により回転駆動される。
記録／再生時において回転されているディスク１１に対しては、光学ヘッド１３によりレーザ光が照射される。光学ヘッド１３は、記録時には記録トラックをキュリー温度まで加熱するための高レベルのレーザ出力を行ない、また再生時には磁気カー効果により反射光からデータを検出するための比較的低レベルのレーザ出力を行なう。レーザ出力のオン／オフ及び出力レベルはシステムコントローラ２０によって制御される。
【００４９】
このため、光学ヘッド１３にはレーザ出力手段としてのレーザダイオード、偏光ビームスプリッタや対物レンズ等からなる光学系、及び反射光を検出するためのディテクタが搭載されている。対物レンズ１３ａは２軸機構１４によってディスク半径方向及びディスク１１に接離する方向に変位可能に保持されている。
【００５０】
また、光学ヘッド１３とはディスク１１を挟んで対向する位置に磁気ヘッド１６が配される。磁気ヘッド１６は記録動作時に供給されたデータによって変調された磁界をディスク１１に印加する動作を行なう。
光学ヘッド１３全体及び磁気ヘッド１６は、スレッド機構１５によりディスク半径方向に移動可能とされている。
【００５１】
再生動作によって、光学ヘッド１３によりディスク１１から検出された情報はＲＦアンプ１８に供給される。ＲＦアンプ１８は供給された情報の演算処理により、再生ＲＦ信号、トラッキングエラー信号、フォーカスエラー信号、グルーブ情報（ディスク１にウォブリンググルーブとしてＦＭ変調されて記録されている絶対位置情報）等を抽出する。
抽出された再生ＲＦ信号が２値化された信号がいわゆるＥＦＭ信号であり、このＥＦＭ信号はエンコーダ／デコーダ部３０に供給される。また、トラッキングエラー信号、フォーカスエラー信号はサーボ回路１９に供給され、グルーブ情報７０はアドレスデコーダ１０に供給される。
【００５２】
サーボ回路１９は供給されたトラッキングエラー信号、フォーカスエラー信号や、マイクロコンピュータにより構成されるシステムコントローラ２０からのトラックジャンプ指令、アクセス指令、スピンドルモータ２の回転速度検出情報（ＣＬＶサーボ信号）等により各種サーボ駆動信号を発生させ、２軸機構１４及びスレッド機構１５を制御してフォーカス及びトラッキング制御を行ない、またスピンドルモータ１２を一定線速度（ＣＬＶ）に制御する。
【００５３】
またアドレスデコーダ７０では、グルーブ情報をＰＬＬ回路に注入してディスク回転に同期したＰＬＬグルーブクロックを生成し、またこれを用いてグルーブシンクを検出するとともにグルーブアドレスを復調する。
グルーブシンク、グルーブアドレスはエンコーダ／デコーダ部３０を介してシステムコントローラ２０に供給される。なおＰＬＬグルーブクロック、グルーブシンク、グルーブアドレスは特に記録時に用いられる信号となる。
【００５４】
再生ＲＦ信号はエンコーダ／デコーダ部３０に供給され、データデコード、サブコードの抽出、データとして記録されているアドレスの抽出、ＥＦＭ信号に同期したＰＬＬデータクロックの生成等が行なわれる。
サブコード情報、アドレス情報はシステムコントローラ２０に供給される。
またスピンドルモータのＣＬＶサーボについては、再生時にはＰＬＬデータクロックが用いられ、記録時にはＰＬＬグルーブクロックが用いられることになる。
【００５５】
音声データとしての再生ＲＦ信号はエンコーダ／デコーダ部３０でＥＦＭ復調、ＣＩＲＣエラー訂正、セクターデコード等のデコード処理された後、メモリコントローラ５０によって一旦バッファＲＡＭ２７に書き込まれる。なお、光学ヘッド１３によるディスク１１からのデータの読み取り及び光学ヘッド１３からバッファＲＡＭ２７までの系におけるデータの転送は1.41Mbit/secで、しかも間欠的に行なわれる。
【００５６】
バッファＲＡＭ２７に書き込まれたデータは、再生データの転送が0.3Mbit/sec となるタイミングで読み出され、エンコーダ／デコーダ部６０に供給される。そして、変形ＤＣＴ処理による音声圧縮処理に対するデコード処理（逆変形ＤＣＴ処理）等の再生信号処理を施され、Ｄ／Ａ変換器２３によってアナログ信号とされ、出力端子２４から所定の増幅回路部へ供給されて再生出力される。例えばＬ，Ｒアナログオーディオ信号として出力される。
【００５７】
ところでバッファＲＡＭ２７へのデータの書込／読出については、メモリコントローラ５０によって書込ポインタと読出ポインタの制御によりアドレス指定されて行なわれるが、書込ポインタ（書込アドレス）は上記したように1.41Mbit/secのタイミングでインクリメントされ、一方、読出ポインタ（読出アドレス）は0.3Mbit/sec のタイミングでインクリメントされていく。この書込と読出のビットレートの差異により、バッファＲＡＭ２７内には或る程度データが蓄積された状態となる。バッファＲＡＭ２７内にフル容量のデータが蓄積された時点で書込ポインタのインクリメントは停止され、光学ヘッド１３によるディスク１１からのデータ読出動作も停止される。ただし読出ポインタのインクリメントは継続して実行されているため、再生音声出力はとぎれないことになる。
【００５８】
その後、バッファＲＡＭ２７から読出動作のみが継続されていき、或る時点でバッファＲＡＭ２７内のデータ蓄積量が所定量以下となったとすると、再び光学ヘッド１３によるデータ読出動作及び書込ポインタのインクリメントが再開され、再びバッファＲＡＭ２７のデータ蓄積がなされていく。
このようにバッファＲＡＭ２７を介して再生音響信号を出力することにより、例えば外乱等でトラッキングが外れた場合などでも、再生音声出力が中断してしまうことはなく、データ蓄積が残っているうちに例えば正しいトラッキング位置までにアクセスしてデータ読出を再開することで、再生出力に影響を与えずに動作を続行できる。即ち、耐震機能を著しく向上させることができる。
【００５９】
ディスク１１に対して記録動作が実行される際には、入力端子２６に供給された記録信号（アナログオーディオ信号）は、Ａ／Ｄ変換器２５によってデジタルデータとされた後、エンコーダ／デコーダ部６０に供給され、音声圧縮エンコード処理（変形ＤＣＴ処理）を施される。
エンコーダ／デコーダ部６０によって圧縮された記録データはメモリコントローラ５０によって一旦バッファＲＡＭ２７に書き込まれ、また所定タイミングで読み出されてエンコーダ／デコーダ部３０に送られる。例えばバッファＲＡＭ２７における蓄積量が１クラスタを越える所定のデータ量となった時点で読み出されてエンコーダ／デコーダ部３０に転送される。
そしてエンコーダ／デコーダ部３０でセクターエンコード、ＣＩＲＣエンコード（パリティ付加）、ＥＦＭ変調等の処理が行なわれた後、磁気ヘッド駆動回路１７に供給される。
【００６０】
磁気ヘッド駆動回路１７はエンコード処理された記録データ（ＥＦＭ信号）に応じて、磁気ヘッド１６に磁気ヘッド駆動信号を供給する。つまり、ディスク１１に対して磁気ヘッド１６によるＮ又はＳの磁界印加を実行させる。また、このときシステムコントローラ１１は光学ヘッドに対して、記録レベルのレーザ光を出力するように制御信号を供給する。これにより入力端子２６に入力された音声データがディスク１１に記録されることになる。
【００６１】
記録再生装置には記録時／再生時などのにおける動作状態、モード状態を表示したり、記録／再生トラックのトラックナンバ、時間情報、さらに文字情報等を表示するための表示部２１が設けられる。表示部２１は例えば液晶ディスプレイなどにより構成され、その表示動作はシステムコントローラ２０により制御される。
また記録再生装置に対したユーザーが各種操作を行なうために操作部２２が設けられる。操作部２２には録音キー、再生キー、停止キー、ＡＭＳキー、サーチキー等がユーザー操作に供されるように設けられている。
【００６２】
またシステムコントローラ２０等の動作のために水晶系のクロック発生部８０が設けられており、クロック発生部８０からのマスタークロックMCK がシステムコントローラ２０及びシステムコントローラ２０を介して所定の部位に供給される。
【００６３】
また、ディスク１１に対して記録／再生動作を行なう際には、ディスク１１に記録されている管理情報、即ちＰ−ＴＯＣ（プリマスタードＴＯＣ）、Ｕ−ＴＯＣ（ユーザーＴＯＣ）を読み出す必要がある。システムコントローラ２０はこれらの管理情報に応じてディスク１１上の記録すべきエリアのアドレスや、再生すべきエリアのアドレスを判別することとなる。この管理情報はバッファＲＡＭ２７に保持される。このためバッファＲＡＭ２７は、上記した記録データ／再生データのバッファエリアと、これら管理情報を保持するエリアが分割設定されている。
【００６４】
そして、システムコントローラ２０はこれらの管理情報を、ディスク１１が装填された際に管理情報の記録されたディスクの最内周側の再生動作を実行させることによって読み出し、バッファＲＡＭ２７に記憶しておき、以後そのディスク１１に対する記録／再生動作の際に参照できるようにしている。
また、Ｕ−ＴＯＣはデータの記録や消去に応じて編集されて書き換えられるものであるが、システムコントローラ２０は記録／消去動作のたびにこの編集処理をバッファＲＡＭ２７に記憶されたＵ−ＴＯＣ情報に対して行ない、その書換動作に応じて所定のタイミングでディスク１１のＵ−ＴＯＣエリアについても書き換えるようにしている。
【００６５】
３．デコーダ系の構成
このような全体構成を有する記録再生装置における、再生動作時に機能するデコーダ系を詳細なブロックとして示したものが図４である。
図４では図３の構成のうち、エンコーダ／デコーダ部３０、メモリコントローラ５０、エンコーダ／デコーダ部６０について詳細な構成を示しているものとなっている。
【００６６】
図４のデコーダ系において図３のエンコーダ／デコーダ部３０に含まれる構成要素としては、ＥＦＭデコーダ３１、ＰＬＬタイミングジェネレータ３２、ＥＦＭシンク検出部３３、サブコード検出部３４、端子３５、データバス３６、ＥＣＣ−ＲＡＭ３７、ＥＣＣデコーダ３８、ベースカウンタ３９、アドレスジェネレータ４０、データリードインターフェース４１となる。
またメモリコントローラ５０に含まれる構成要素としては、セクターデコーダ５１、データバス５２、プライオリティエンコーダ５３、アドレスジェネレータ５４、コントローラインターフェース５５、タイミングジェネレータ５６となる。
さらにエンコーダ／デコーダ部６０に含まれる構成要素としては、音声圧縮デコーダ６１となる。
【００６７】
このようなデコーダ系における動作を説明する。
再生時に、ディスク１１はスピンドルモータ１２によって一定線速度で回転されながら、光学ヘッド１３からのレーザ照射がなされる。
光学ヘッド１３はディスク１１からの反射光検出信号をＲＦアンプ１８に出力し、ＲＦアンプ１８は反射光検出信号から再生ＲＦ信号を抽出する。この再生ＲＦ信号が２値化されたものがいわゆるＥＦＭ信号であり、ディスク１１からの再生データである。
このＥＦＭ信号はＥＦＭデコーダ３１、ＰＬＬタイミングジェネレータ３２、ＥＦＭシンク検出部３３のそれぞれに供給される。
【００６８】
ＥＦＭシンク検出部３３ではＥＦＭ信号フレーム内のシンクパターンを検出する。またＰＬＬタイミングジェネレータ３２はＥＦＭ信号のエッジ検出を行ない、そのエッジ検出出力をＰＬＬ回路に注入してＰＬＬデータクロックPLCKを発生させる。このＰＬＬデータクロックPLCKは、即ちディスク１１の回転と同期したものであり、ディスク１１の回転ジッタ成分を含むクロックである。
また、ＰＬＬタイミングジェネレータ３２は、ＰＬＬデータクロックPLCK及びＥＦＭシンクを用いて各種タイミング信号を発生する。
【００６９】
ＥＦＭデコーダ３１はＰＬＬデータクロックPLCKを用いてＥＦＭ復調処理を行ない、データバス３６に転送する。また、サブコード検出部３４によってＥＦＭ復調されたデータからサブコード情報が抽出され、端子３５からシステムコントローラ２０に供給される。
【００７０】
ＥＦＭ復調されデータバス３６に転送されたデータはＥＣＣ−ＲＡＭ３７に書き込まれることになるが、この書込のためＰＬＬタイミングジェネレータ３２からＰＬＬデータクロックPLCKに基づいてリード／ライトフレームクロックRWFCK が発生され、ベースカウンタ３９でカウントされる。またアドレスジェネレータ４０におけるアドレス発生動作もＰＬＬタイミングジェネレータ３２に制御され、インターリーブ／スクランブルオフセットアドレスが生成される。
そしてＥＦＭ復調データはリード／ライトフレームクロックRWFCK によって管理された或る位相タイミング（ベースカウンタ値）において、アドレスジェネレータ４０で発生される書込アドレスに基づいてＥＣＣ−ＲＡＭ３７に書き込まれる。
【００７１】
一方、ＥＣＣデコーダ３８はＥＣＣ−ＲＡＭ３７からデータを読み出してデインターリーブ及びエラー訂正処理を行なうことになるが、このＥＣＣ−ＲＡＭ３７からの読出動作もリード／ライトフレームクロックRWFCK によって管理される。つまり、リード／ライトフレームクロックRWFCK による書込動作とは別の位相タイミング（ベースカウンタ値）で、ＥＣＣデコーダ３８による読出要求が行なわれ、アドレスジェネレータ４０で発生される読出アドレスに基づいてＥＣＣ−ＲＡＭ３７からの読出が行なわれる。
【００７２】
ＥＣＣ処理部１１７でエラー訂正されたデータＤｔは、やはりリード／ライトフレームクロックRWFCK に管理されたる或るタイミング（ベースカウンタ値）でデータリードインターフェース部４１からセクターデコーダ５１に送られる。また、エラー訂正が不能であった場合の識別情報C2POも転送される。
セクターデコーダ５１に対してはＰＬＬタイミングジェネレータ３２からデータＤｔに同期したビットクロックBCK 、ＬＲクロックLRCKが供給される。つまりセクターデコーダ５１もＰＬＬデータクロックに基づく動作を行なうことになる。
【００７３】
セクターデコーダ５１ではいわゆるＣＤ−ＲＯＭフォーマットのデコードを行ない、データバス５２に転送する。
バッファＲＡＭ２７への書込／読出動作は、プライオリティエンコーダ５３による要求選択と、アドレスジェネレータ５４によるアドレス生成に基づいて行なわれる。プライオリティエンコーダ５３に対してはセクターデコーダ５１からの書込要求、音声圧縮デコーダ６１からの読出要求、またコントローラインターフェース５５を介したシステムコントローラ２０からの書込／読出要求が行なわれる。上述したようにバッファＲＡＭ２７への書込処理までのデータ転送レートは、バッファＲＡＭ２７からの読出以降のデータ転送レートより高速となっているため、通常はプライオリティエンコーダ５３、セクターデコーダ５１からの書込要求、音声圧縮デコーダ６１からの読出要求に対して、転送レート差を調整するように要求選択を行なう。
【００７４】
セクターデコーダ５１からデータバス５２に転送されたデータはバッファＲＡＭ２７に書き込まれた後、音声圧縮デコーダ６１からの読出要求に応じて読み出され、データバス５２を介して音声圧縮デコーダ６１に供給される。
ただしバッファＲＡＭ２７からの読出以降の動作は、マスタークロックMCK に同期したタイミングジェネレータ５６によるタイミング制御によって行なわれることになる。
そして音声圧縮デコーダ６１でいわゆる逆変形ＤＣＴ処理となる音声圧縮処理が施されて、１６ビット量子化、44.1KHzサンプリングの形態のデジタルデータとされる。このデジタルデータはＤ／Ａ変換器２３によってアナログ信号とされ、出力端子２４より再生音声信号として出力されることになる。
【００７５】
このように本実施例のデコーダ系の場合、バッファＲＡＭ２８にデータを書き込むまでの処理はＰＬＬデータクロックPLCKに基づいた処理となり、一方バッファＲＡＭ２８からデータを読み出す処理以降はマスタークロックMCK に基づいた処理となる。
つまり、ＥＦＭデコード、デインターリーブ、エラー訂正、データ転送、セクターデコード、バッファＲＡＭ２７への書込処理までの処理が、ディスク１１の回転に同期した信号処理動作となり、従ってこの処理系においてはＰＬＬタイミングジェネレータ３２内のＰＬＬ回路がロックしている限り、完全にジッターフリーとなり、ジッターマージンという概念も存在しないことになる。
【００７６】
これによりＥＣＣ−ＲＡＭ３７にはいわゆるジッターマージンエリアは不要となる。さらにＥＣＣ−ＲＡＭ３７に対する書込／読出アクセスもスロットの割り当てのみでよく、ジッターを考慮して調整する必要もなくなって簡易な制御となる。つまり、図９と比較して分かるようにＥＣＣ−ＲＡＭ３７に対するアクセスのためのプライオリティエンコーダは不要となり、またベースカウンタとしても書込／読出制御のためににそれぞれ独立して設けず、ベースカウンタ３９の１つでよいことになる。
【００７７】
本実施例の場合、２つのクロック系の境界はバッファＲＡＭ１２３となるが、バッファＲＡＭ１２３はもともと耐震機能のために例えば４Mbitなどの比較的大容量のＲＡＭとされており、２つのクロック系間のジッターの影響、つまりディスク１１の回転むらなどに起因する時間軸上のジッターの影響は殆どないものとなる。
【００７８】
またこのため、クロック間のジッターの影響をＣＬＶサーボ系に反映する必要もなくなるため、図９のようなＣＬＶプロセッサ１１４を設ける必要もなくなる。さらに、ＣＬＶサーボ系の動作として、スピンドルモータ１２の回転のためのＣＬＶサーボ帯域は広い必要がなく、ＰＬＬ回路のロック範囲内であれば定常偏差をも許すことができるシステムとなる。このため、ジッターの影響を考慮してサーボゲインを上げたりサーボ帯域を広げる必要はなくなり、省電力の観点でも好ましいものとなる。
【００７９】
４．デコーダ系の構成の変形例
図５にデコーダ系の構成の変形例を示す。なお、図４と同一部分は同一符号を付し、説明を省略する。
この変形例では、ＲＡＭ２８を備えるようにしており、これは図４におけるＥＣＣ−ＲＡＭ３７とバッファＲＡＭ２７を一体化した構成となっている。ＲＡＭ２８内には耐震機能のためにデータを蓄積するバッファＲＡＭエリア２８ｂと、ＥＣＣ処理に用いるＥＣＣ−ＲＡＭエリア２８ａが設けられる。
【００８０】
ＲＡＭ２８に対するアドレスは、ＥＣＣ−ＲＡＭエリア２８ａに対応してアドレスジェネレータ４０で発生され、またバッファＲＡＭエリア２８ｂに対応してアドレスジェネレータ５４で発生される。そしてＰＬＬデータクロック系のＰＬＬタイミングジェネレータ３２及びマスタークロック系のタイミングジェネレータ５６の制御に基づいてアドレス選択部４４でアクセスアドレスが選択され、ＲＡＭ２８に供給される。
【００８１】
このような構成では、ＲＡＭ２８でデータバッファ機能とＥＣＣデータ保持機能を備えさせていることで、回路実装に関してはメモリチップの削減が可能となるとともに、図３において示す、エンコーダ／デコーダ部３０、メモリコントローラ５０、エンコーダ／デコーダ部６０を１チップ化することについても好適なものとなる。
特に、図４で説明した構成においては、ＲＡＭアクセスに関するプライオリティエンコーダは処理系において１つ必要となるのみであり、このことから図５の用にＥＣＣ−ＲＡＭエリア２８ａとバッファＲＡＭエリア２８ｂを一体化することの容易性が得られるものである。
【００８２】
５．エンコーダ系の構成
次に図３の全体構成を有する記録再生装置における、記録動作時に機能するエンコーダ系を説明する。エンコーダ系を詳細なブロックとして示したものが図６である。図６では図３の構成のうち、エンコーダ／デコーダ部３０、メモリコントローラ５０、エンコーダ／デコーダ部６０、アドレスデコーダ７０について詳細な構成を示しているものとなっている。
【００８３】
図６のエンコーダ系において図３のエンコーダ／デコーダ部３０に含まれる構成要素としては、データバス３６、ＥＣＣ−ＲＡＭ３７、アドレスジェネレータ４０、タイミングジェネレータ４２、データリードインターフェース４３、ＥＣＣエンコーダ４５、ＥＦＭエンコーダ４６となる。
またメモリコントローラ５０に含まれる構成要素としては、データバス５２、アドレスジェネレータ５４、コントローラインターフェース５５、セクターエンコーダ５７となる。
さらにエンコーダ／デコーダ部６０に含まれる構成要素としては、音声圧縮エンコーダ６２となる。
またアドレスデコーダ７０に含まれる構成要素としては、グルーブＰＬＬ回路７１、グルーブシンク検出部７２、グルーブアドレスデコーダ７３となる。
このようなエンコーダ系における動作を説明する。
【００８４】
記録動作時において、入力端子２６から入力された音声信号はマスタークロックMCK を用いるＡ／Ｄ変換器２５で１６ビット量子化、44.1KHzサンプリングのデジタルデータとされる。そして音声圧縮エンコーダ６２に供給されて変形ＤＣＴ処理により、データ量が約１／５に圧縮される処理が施される。
【００８５】
音声圧縮処理されたデータは、音声圧縮エンコーダ１３２からの書込要求に応じてデータバス５２を介してバッファＲＡＭ２７に書き込まれていく。バッファＲＡＭ２７に対する書込／読出アドレスはタイミングジェネレータ４２の制御又はコントローラインターフェース５５を介したシステムコントローラ２０からの制御に基づいてアドレスジェネレータ５４で生成される。
ここでＡ／Ｄ変換器２５によるＡ／Ｄ変換、音声圧縮エンコーダ６２による音声圧縮エンコード及びバッファＲＡＭ２７に対する書込動作については、クロック発生部８０からのマスタークロックMCK に基づいて行なわれる。
【００８６】
記録動作時には、バッファＲＡＭ２７に蓄積されたデータ量が１クラスタを越える一定量に達すると、バッファＲＡＭ２７からの読出及びセクターエンコーダ５７への転送が行なわれる。
セクターエンコーダ５７ではタイミングジェネレータ４２からのビットクロックBCK 、ＬＲクロックLRCKを用いて、セクター形態のエンコード処理を行ない、データライトインターフェース４３に転送する。データライトインターフェース４３に転送されたデータはデータバス３６を介してＥＣＣ−ＲＡＭ３７に書き込まれていく。
【００８７】
ＥＣＣ−ＲＡＭ３７に対する書込／読出アドレスはタイミングジェネレータ４２からのフレームクロックFCK に基づいてアドレスジェネレータ４０で生成される。
ＥＣＣエンコーダ４５はＥＣＣ−ＲＡＭ３７に記憶されたデータを読み出してパリティ付加などの処理を行なう。
ＥＣＣエンコーダ４５での処理を終えたデータは、ＥＦＭエンコーダ４６に転送されてＥＦＭ変調（８−１４変調）が行なわれる。このＥＦＭ信号は磁気ヘッド駆動回路１７に送られ、磁気ヘッド１６はＥＦＭ信号に基づいてディスク１１に対する磁界印加動作を行なうことになる。
【００８８】
またこのような記録動作時には、ディスク１１の回転制御系はＰＬＬ回路を用いて生成されたディスク回転に同期したクロックにより処理が行なわれる。
スピンドルモータ１２によって回転されるディスク１１に対しては光学ヘッド１３によってレーザ照射され、その反射光情報がＲＦアンプ１８に供給される。
【００８９】
記録可能な光磁気ディスクにはいわゆるグルーブ（溝）により記録トラックが形成されており、このグルーブは絶対位置情報（アドレス情報）を22.0±１Ｋ［Ｈｚ］のキャリアを用いたＦＭ変調処理でウォブリング（蛇行）されているものであるが、ＲＦアンプ１８ではこのようにＦＭ変調されているグルーブ情報GFM が抽出される。このグルーブ情報GFM はグルーブＰＬＬ回路７１に供給され、グルーブ情報GFM に同期したＰＬＬグルーブクロックGCK が生成される。
また、グルーブ情報GFM はグルーブシンク検出部７２に供給され、ＰＬＬグルーブクロックGCK を用いたシンク検出が行なわれるとともに、グルーブアドレスデコーダ７３においてＰＬＬグルーブクロックGCK を用いたアドレスデコード処理が行なわれ、グルーブアドレス情報が復調される。グルーブシンク及びグルーブアドレスはシステムコントローラ２０に供給される。
【００９０】
ここで、ＰＬＬグルーブクロックGCK とグルーブシンクはタイミングジェネレータ４２に供給されており、タイミングジェネレータ４２はＰＬＬグルーブクロックGCK を基準クロックとして動作するように構成されている。
従って、バッファＲＡＭ２７からのデータ読出動作から磁気ヘッド１６に至る処理系ではディスク１１の回転に同期したＰＬＬグルーブクロックGCK に基づいて動作が行なわれるものとなっている。
【００９１】
このように本実施例のエンコーダ系の場合、バッファＲＡＭ２８にデータを書き込むまでの処理はマスタークロックMCK に基づいた処理となり、一方バッファＲＡＭ２８からデータを読み出す処理以降はＰＬＬグルーブクロックGCK に基づいた処理となる。
つまり、バッファＲＡＭ２７からの読出、セクターエンコード、データ転送、パリティ付加、インターリーブ、ＥＦＭエンコードの各処理が、ディスク１１の回転に同期した信号処理動作となり、従ってこの処理系においてはグルーブＰＬＬ回路７１内のＰＬＬ回路がロックしている限り、完全にジッターフリーとなる。
【００９２】
また、両クロック間のジッターの影響、つまりマスタークロックMCK とＰＬＬグルーブクロックGCK との間の周波数／位相誤差成分を、ＣＬＶサーボ系に反映する必要もなくなるため、図１０のようなＣＬＶプロセッサ１１４を設ける必要もなくなる。さらに、ＣＬＶサーボ系の動作として、スピンドルモータ１２の回転のためのＣＬＶサーボ帯域は広い必要がなく、ＰＬＬ回路のロック範囲内であれば定常偏差をも許すことができるシステムとなる。このため、ジッターの影響を考慮してサーボゲインを上げたりサーボ帯域を広げる必要はなくなり、省電力の観点でも好ましいものとなる。
【００９３】
６．エンコーダ系の構成の変形例
図７にデコーダ系の構成の変形例を示す。なお、図６と同一部分は同一符号を付し、説明を省略する。
この変形例では、ＲＡＭ２８を備えるようにしており、これは図６におけるＥＣＣ−ＲＡＭ３７とバッファＲＡＭ２７を一体化した構成となっている。ＲＡＭ２８内には耐震機能のためにデータを蓄積するバッファＲＡＭエリア２８ｂと、ＥＣＣ処理に用いるＥＣＣ−ＲＡＭエリア２８ａが設けられる。
【００９４】
ＲＡＭ２８に対するアドレスは、ＥＣＣ−ＲＡＭエリア２８ａに対応してアドレスジェネレータ４０で発生され、またバッファＲＡＭエリア２８ｂに対応してアドレスジェネレータ５４で発生される。そしてＰＬＬグルーブクロック系のタイミングジェネレータ４２及びマスタークロック系であるシステムコントローラ
２０の制御に基づいてアドレス選択部４４でアクセスアドレスが選択され、ＲＡＭ２８に供給される。
【００９５】
このような構成では、ＲＡＭ２８でデータバッファ機能とＥＣＣデータ保持機能を備えさせていることで、回路実装に関してはメモリチップの削減が可能となるとともに、図３において示す、エンコーダ／デコーダ部３０、メモリコントローラ５０、エンコーダ／デコーダ部６０、アドレスデコーダ７０を１チップ化することについても好適なものとなる。
【００９６】
なお、以上の実施例はミニディスク記録再生装置において本発明を適用したものとして説明したが、いわゆるショックプルーフのためのバッファＲＡＭを備えたＣＤプレーヤやＤＡＴプレーヤなどにおいても本発明を採用することができる。特に、セクターという概念のないＣＤシステムの場合、デコード系とバッファＲＡＭの間の転送処理において、ジッターの影響を排除してデータの繋ぎを正確に行なうために煩雑な処理が必要となるが、バッファＲＡＭへの書込迄がＰＬＬ系に同期することによりジッタ影響を考慮する必要はなくなり、例えばサブコードなどに従ってバッファＲＡＭへの書込タイミングなどを容易に生成することができるようになる。
【００９７】
【発明の効果】
以上説明したように本発明における再生装置では、記録媒体からのデータのバッファＲＡＭへの書込までの系でＰＬＬ系のクロックが用いられ、バッファＲＡＭから読み出し出力する系で水晶系のクロックが用いられる。このためデコード手段と書込制御手段内ではＰＬＬロックが保たれているかぎりジッタフリーとなり、デコード処理のためのメモリにもジッタマージンエリアは不要になる。さらにデコード処理のためのメモリに対するアクセス制御のうち、ジッターの影響に対する管理手段としてのプライオリティエンコーダその他の部位や、ジッターの影響を回転サーボ系に反映させるＣＬＶプロセッサ等の回路部が不要になる。
これらのことからジッターによるデコード処理のためのメモリのオーバーフローは発生せずデコード動作の安定性は著しく向上されるとともに、回路構成の大幅な簡略化や、バッファＲＡＭからの読出系以降を含めた１チップ化への容易性も抽出されるという効果がある。
また異なるクロック系の間のジッターの影響については比較的広大なメモリ空間を有するバッファＲＡＭでカバーできることになるとともに、デコード系がジッターフリーとなることから回転サーボ系において定常偏差を許すシステムが構築でき、サーボゲイン／サーボ帯域を縮小することが可能となる。このため大幅な省電力化が実現されるという効果がある。
【００９８】
また本発明の記録装置では、入力からバッファＲＡＭへの書込までの系で水晶系のクロックが用いられ、バッファＲＡＭの読み出しから記録媒体への書込までの系でＰＬＬ系のクロックが用いられる。このため、読出制御手段、エンコード手段内ではＰＬＬロックが保たれているかぎりジッタフリーとなり、エンコード動作の安定性を向上させることになるとともに、ジッターの影響を回転サーボ系に反映させるＣＬＶプロセッサ等の回路部が不要になるため、回路構成も簡略化される。
また、異なるクロック系の間のジッターの影響については比較的広大なメモリ空間を有するバッファＲＡＭでカバーでき、しかもエンコード系がジッターフリーとなることから回転サーボ系において定常偏差を許すシステムが構築でき、サーボゲイン／サーボ帯域を縮小することが可能となる。このため大幅な省電力化が実現されるという効果がある。
【図面の簡単な説明】
【図１】本発明の実施例の構成概念の説明図である。
【図２】本発明の実施例の変形例の構成概念の説明図である。
【図３】実施例の記録再生装置の全体構成のブロック図である。
【図４】実施例のデコーダ系の構成のブロック図である。
【図５】実施例の変形例のデコーダ系の構成のブロック図である。
【図６】実施例のエンコーダ系の構成のブロック図である。
【図７】実施例の変形例のエンコーダ系の構成のブロック図である。
【図８】ミニディスクのセクターフォーマットの説明図である。
【図９】従来のデコーダ系の構成のブロック図である。
【図１０】従来のエンコーダ系の構成のブロック図である。
【符号の説明】
２，３０  エンコーダ／デコーダ部
３，３７  ＥＣＣ−ＲＡＭ
４，５０  メモリコントローラ
５，２７  バッファＲＡＭ
６，６０  エンコーダ／デコーダ部
７  ＰＬＬ系クロック発生部
８  マスタークロック発生部
１０，２８  ＲＡＭ
１１  ディスク
１２  スピンドルモータ
１３  光学ヘッド
１６  磁気ヘッド
１７  磁気ヘッド駆動回路
１８  ＲＦアンプ
１９  サーボ回路
２０  システムコントローラ
２３  Ｄ／Ａ変換器
２５  Ａ／Ｄ変換器
２９，３６，５２  データバス
３１  ＥＦＭデコーダ
３２  ＰＬＬタイミングジェネレータ
３３  ＥＦＭシンク検出
３８  ＥＣＣデコーダ
３９  ベースカウンタ
４０，５４  アドレスジェネレータ
４１  データリードインターフェース
４２  タイミングジェネレータ
４３  データライトインターフェース
４５  ＥＣＣエンコーダ
４６  ＥＦＭエンコーダ
５１  セクターデコーダ
５３  プライオリティエンコーダ
５５  コントローラインターフェース
５６  タイミングジェネレータ
５７  セクターエンコーダ
６１  音声圧縮デコーダ
６２  音声圧縮エンコーダ
７１  グルーブＰＬＬ回路
７２  グルーブシンク検出部
７３  グルーブアドレスデコーダ
８０  クロック発生部
【図１】
0003541484.tif 000002
【図２】
0003541484.tif 000003
【図３】
0003541484.tif 000004
【図４】
0003541484.tif 000005
【図５】
0003541484.tif 000006
【図６】
0003541484.tif 000007
【図７】
0003541484.tif 000008
【図８】
0003541484.tif 000009
【図９】
0003541484.tif 000010
【図１０】
0003541484.tif 000011